(57)【要約】【課題】省エネモード中に原稿台の原稿差替により原稿サイズが変更された場合、省エネモードから通常モードに復帰後に、原稿サイズと用紙サイズが一致していないコピーをすることのない画像読取装置を提供する。【解決手段】原稿台に原稿が載置された状態で通常モードから省エネモードに移行し、省エネモードに移行している期間にプラテンカバーの開閉がなく、プラテンカバーの開閉以外の事象をトリガとして通常モードに復帰した場合、移行のときに保持している原稿サイズ情報を復帰後の通常モードの少なくとも初期まで維持し、原稿台に原稿が載置された状態で通常モードから省エネモードに移行し、省エネモードに移行している期間にプラテンカバーの開閉があれば、開閉を通常モードに復帰するためのトリガとせず、遅くともプラテンカバーの開閉以外により通常モードに復帰する直後までに原稿サイズ情報をクリアする。【選択図】図１４
2018037999.tif 000002
【特許請求の範囲】
【請求項１】
原稿台に載置された原稿を読み取る画像読取装置であって、
前記原稿台に原稿が載置された状態で通常モードから省エネモードに移行し、且つ、前記省エネモードに移行している期間にプラテンカバーの開閉がなく、前記プラテンカバーの開閉以外の事象をトリガとして前記通常モードに復帰した場合には、前記移行のときに保持している原稿サイズ情報を復帰後の前記通常モードの少なくとも初期まで維持する維持手段と、
前記原稿台に前記原稿が載置された状態で前記通常モードから前記省エネモードに移行し、且つ、前記省エネモードに移行している期間に前記プラテンカバーの開閉があれば、該開閉を前記通常モードに復帰するためのトリガとせず、遅くとも前記プラテンカバーの開閉以外の事象により前記通常モードに復帰する直後までに前記原稿サイズ情報をクリアするクリア手段と、
を備えることを特徴とする画像読取装置。
【請求項２】
請求項１に記載の画像読取装置であって、
前記原稿台に前記原稿が載置された状態で前記通常モードから前記省エネモードに移行した場合に、前記省エネモードに移行している期間に前記プラテンカバーの開閉があれば、前記プラテンカバーの開閉以外の事象により通常モードに復帰したならば、原稿サイズが未確定である旨を表すメッセージと、前記プラテンカバーの開閉を促すメッセージを画面に表示する第１表示手段を更に備えることを特徴とする画像読取装置。
【請求項３】
請求項１又は２に記載の画像読取装置であって、
前記原稿台に原稿が載置されていない状態で前記通常モードから前記省エネモードに移行した場合に、プラテンカバーの開閉により前記省エネモードから前記通常モードに復帰する第２復帰手段を更に備えることを特徴とする画像読取装置。
【請求項４】
請求項１又は２に記載の画像読取装置であって、
前記原稿台に原稿が載置されていない状態で前記通常モードから前記省エネモードに移行した場合に、プラテンカバーの開閉により前記省エネモードから前記通常モードに復帰しない復帰回避手段を更に備えることを特徴とする画像読取装置。
【請求項５】
請求項３又は４に記載の画像読取装置であって、
前記原稿台に原稿が載置されていない状態で前記通常モードから前記省エネモードに移行した場合に、前記省エネモードから前記通常モードに復帰した後に、原稿サイズが未確定である旨を表すメッセージと、プラテンカバーの開閉を促すメッセージを画面に表示する第２表示手段を更に備えることを特徴とする画像読取装置。
【請求項６】
請求項１乃至５のいずれか１項に記載の画像読取装置であって、
原稿送り装置優先モードが指定されており、原稿送り装置と前記原稿台の両方に原稿が搭載されている場合は、前記通常モードから前記省エネモードに復帰した後、前記原稿送り装置に搭載されている原稿のサイズ情報を画面に表示する第３表示手段を更に備えることを特徴とする画像読取装置。
【請求項７】
原稿台に載置された原稿を読み取る画像読取装置であって、
前記画像読み取り装置が原稿サイズ情報を保持した状態で省エネモードに移行した場合原稿サイズ情報を保持し、
省エネモードに移行している期間中にプラテンカバーの開閉を検出した場合、省エネモードのままで原稿サイズ情報をクリアすることを特徴とする画像読取装置。
【請求項８】
請求項１乃至７の何れか１項に記載の画像読取装置を備えることを特徴とする複合機。
【請求項９】
原稿台に載置された原稿を読み取る画像読取方法であって、
前記原稿台に原稿が載置された状態で通常モードから省エネモードに移行し、且つ、前記省エネモードに移行している期間にプラテンカバーの開閉がなく、前記プラテンカバーの開閉以外の事象をトリガとして前記通常モードに復帰した場合には、前記移行のときに保持している原稿サイズ情報を復帰後の前記通常モードの少なくとも初期まで維持する維持ステップと、
前記原稿台に前記原稿が載置された状態で前記通常モードから前記省エネモードに移行し、且つ、前記省エネモードに移行している期間に前記プラテンカバーの開閉があれば、該開閉を前記通常モードに復帰するためのトリガとせず、遅くとも前記プラテンカバーの開閉以外の事象により前記通常モードに復帰する直後までに前記原稿サイズ情報をクリアするクリアステップと、
を備えることを特徴とする画像読取方法。
【請求項１０】
請求項１乃至７のいずれか１項に記載の画像読取装置として、コンピュータを機能させることを特徴とする画像読取用プログラム。
【発明の詳細な説明】
【技術分野】
【０００１】
本発明は、原稿台に載置された原稿画像を読み取る画像読取装置、画像読取方法及び画像読取用プログラムに関する。
【背景技術】
【０００２】
従来より、原稿台に載置された原稿画像を読み取る画像読取装置を備えた画像処理装置、例えば、複写機、ファミシミリ装置、あるいは、複写機能とファミシミリ機能とプリンタ機能を備えた複合機が存在する。これらの画像処理装置では、ユーザから省エネモードへの遷移が指示された場合や、ユーザからの指令が一定時間以上ない場合には、一部の構成要素以外への電源供給を停止する省エネモードを備えたものが提供されている。
【０００３】
通常モードから省エネモードへ移ることを、「省エネモード移行」という。
通常モードから省エネモードへ移るきっかけとなる出来事を、「省エネ遷移トリガ」という。
省エネモードから通常モードへ復帰することを、「通常復帰」という。
省エネモードから通常モードへ復帰するきっかけとなる出来事を、「通常復帰トリガ」という。
【０００４】
「省エネ遷移トリガ」としては、ユーザから省エネモードへの遷移が指示されたことや、ユーザからの指令が一定時間以上ないことが挙げられる。
「通常復帰トリガ」としては、ユーザから通常モードへの復帰が指示されたことや、画像処理装置のいずれかのキーが操作されたこと、人感センサが人の存在を検知したこと等である。
【先行技術文献】
【特許文献】
【０００５】
【特許文献１】特開２００２−２５８６７８号公報
【特許文献２】特開２００２−３１４７２７号公報
【発明の概要】
【発明が解決しようとする課題】
【０００６】
画像読取装置には、通常、原稿台（ガラス面）に載置された原稿の大きさを検知する機能が備わっている。しかし、省エネモードにおいては、この原稿の大きさを検知する機能部分には、電源が供給されていない。したがって、検知用発光部は消灯したままであり、検知用受光部も機能しないままであり、原稿サイズ検出部も機能しないままである。このため、省エネモード中に、仮に原稿が異なるサイズの原稿に置き換えられたとしても、省エネモード中に検知することができない。
【０００７】
（問題点１）
画像読取装置は、通常、通常モードにおいて検知した原稿のサイズの情報を、省エネモードに移行後も保持し、その後通常モードに復帰してもなお保持している。そうすると、省エネモード中にプラテンカバーが開閉され、原稿が異なるサイズの原稿に置き換えられた場合、通常モードに復帰後に保持している原稿サイズ情報と、実際に原稿台（ガラス面）に載置されている原稿のサイズ情報とが不一致となる。この状態で原稿を読み取ると、原稿の一部を読み取れなかったり、誤サイズコピーをしたりするおそれがある。
【０００８】
図１及び図２は、前記問題点１を説明する図である。
図２（ａ）は、図１（ｃ）及び図１（ｄ）に相当し、図２（ｂ）は、図１（ｅ）に相当している。
図１（ａ）において、原稿台（ガラス面）にＡ４縦の原稿が置かれていたとする。その後、図１（ｂ）のようにプラテンカバーが閉じられると、原稿サイズ情報として「Ａ４縦」が保持される。図１（ｂ）において省エネ遷移トリガが発生すると、図１（ｃ）のように省エネモードに遷移する。
【０００９】
特許文献２の段落［0006］に記載された従来技術では、例えば、図１（ｃ）の省エネモード中に、図１（ｄ）のようにプラテンカバーが開けられ、「Ａ４縦」の原稿が「Ａ４横」の原稿に置き換えられた場合、プラテンカバーが開けられたことが、通常復帰トリガとなり、図１（ｅ）のように通常復帰するが、保持されている原稿サイズ情報は、「Ａ４縦」のままである。この状態で、図２（ｂ）のようにコピーをすると、実際に原稿台（ガラス面）に置かれた原稿は「Ａ４横」であるにも関わらず、画像読取装置は原稿が「Ａ４縦」であると認識しているので、図２（ｃ）のように誤ったコピー結果となってしまう。
【００１０】
（問題点２）
前記問題点１に対処する方法として、特許文献１の請求項１−６に記載された技術では、省エネモード中にプラテンカバーが開閉される等の通常復帰トリガが発生した場合、原稿のサイズ情報をクリアして通常復帰することを開示している。
【００１１】
（問題点２−１）
省エネ移行前から原稿が載置されていた場合、プラテンカバーが開閉される等の通常復帰トリガが発生と、通常復帰時に原稿のサイズ情報をクリアしているので、原稿のサイズ情報を取得するために再度プラテンカバーが開閉する必要がある。  
（問題点２−２）
省エネモード中にプラテンカバーを開閉する目的としては、単にユーザが原稿を原稿台（ガラス面）から取り除きたかった場合もあり得る。この場合に通常復帰することは、不要な通常復帰をすることになる。
【００１２】
図３は、前記問題点２−１及び問題点２−２を説明する図である。図３（ａ）において、原稿台（ガラス面）にＡ４縦の原稿が置かれていたとする。その後、図３（ｂ）のようにプラテンカバーが閉じられると、原稿サイズ情報「Ａ４縦」が保持される。図３（ｂ）において、ユーザが誤って節電キーを押した場合、図３（ｃ）のように省エネモードに遷移する。例えば、特許文献１の請求項１−６に記載された技術では、ここで何らかの通常復帰トリガが発生した場合、保持していた原稿サイズ情報を破棄するため、同じ作業を継続したいにも関わらず、図３（ｅ）のように原稿サイズが不明の状態となってしまう。図３（ｅ）では、改めて原稿サイズを検知させる必要がある。（前記問題点２−１）
【００１３】
また、図３（ｃ）の省エネモードにおいて、図３（ｄ）のように、単に取り忘れた原稿を取り除くためにプラテンカバーを開けると、それが通常復帰トリガとなり、通常復帰する必要がないにも関わらず、不要な通常復帰をしてしまう。（前記問題点２−２）
【００１４】
本発明は、係る問題点を解消し、省エネモード中に、プラテンカバーが開閉され、原稿が異なるサイズの原稿に置き換えられても、誤サイズコピーのおそれがなく、また省エネモード中に、プラテンカバーが開閉しても、不要な通常復帰をしない画像読取装置、画像読取方法及び画像読取用プログラムを提供することを目的とする。
【課題を解決するための手段】
【００１５】
本発明者らは、省エネモード中にプラテンカバーが開閉された場合、原稿のサイズ情報をクリアするが、通常復帰はせず、他作業により通常復帰をした後に、「原稿サイズが検知されていない。」旨を表示し、「プラテンカバーを開閉すること。」をユーザに促すメッセージを表示することにより、前記問題点を解消できることを見いだし、本発明を完成するに至った。
【００１６】
（１）原稿台に載置された原稿を読み取る画像読取装置であって、
前記原稿台に原稿が載置された状態で通常モードから省エネモードに移行し、且つ、前記省エネモードに移行している期間にプラテンカバーの開閉がなく、前記プラテンカバーの開閉以外の事象をトリガとして前記通常モードに復帰した場合には、前記移行のときに保持している原稿サイズ情報を復帰後の前記通常モードの少なくとも初期まで維持する維持手段と、
前記原稿台に前記原稿が載置された状態で前記通常モードから前記省エネモードに移行し、且つ、前記省エネモードに移行している期間に前記プラテンカバーの開閉があれば、該開閉を前記通常モードに復帰するためのトリガとせず、遅くとも前記プラテンカバーの開閉以外の事象により前記通常モードに復帰する直後までに前記原稿サイズ情報をクリアするクリア手段と、
を備えることを特徴とする画像読取装置。
【００１７】
（１）の画像読取装置は、省エネモード中にプラテンカバーの開閉がなかった時には、通常復帰後、直ちに省エネモードに移行する前の作業を再開できる。また、省エネモード中にプラテンカバーの開閉があった時には、不要な通常復帰をすることがなく、また通常復帰後に誤ったサイズのコピーをするおそれがない。
【００１８】
（２）前記原稿台に前記原稿が載置された状態で前記通常モードから前記省エネモードに移行した場合に、前記省エネモードに移行している期間に前記プラテンカバーの開閉があれば、前記プラテンカバーの開閉以外の事象により通常モードに復帰したならば、原稿サイズが未確定である旨を表すメッセージと、前記プラテンカバーの開閉を促すメッセージを画面に表示する第１表示手段を更に備えることを特徴とする（１）に記載の画像読取装置。
【００１９】
（２）の画像読取装置は、原稿サイズ情報を保持していない時に、原稿サイズが未確定であることをユーザに知らせ、プラテンカバーを開閉して、原稿のサイズを再度検知させることをユーザに促すことができる。
【００２０】
（３）前記原稿台に原稿が載置されていない状態で前記通常モードから前記省エネモードに移行した場合に、プラテンカバーの開閉により前記省エネモードから前記通常モードに復帰する第２復帰手段を更に備えることを特徴とする（１）又は（２）に記載の画像読取装置。
【００２１】
（３）の画像読取装置は、省エネモード中に別ユーザによる操作があった時に、通常復帰させることができる。
【００２２】
（４）前記原稿台に原稿が載置されていない状態で前記通常モードから前記省エネモードに移行した場合に、プラテンカバーの開閉により前記省エネモードから前記通常モードに復帰しない復帰回避手段を更に備えることを特徴とする（１）又は（２）に記載の画像読取装置。
【００２３】
（４）の画像読取装置は、最初のユーザが「原稿台に原稿を置き忘れたか、取り去ったか」の記憶が曖昧になって、確認のためにプラテンカバーを開閉した時に、不要な通常復帰を防止できる。
【００２４】
（５）前記原稿台に原稿が載置されていない状態で前記通常モードから前記省エネモードに移行した場合に、前記省エネモードから前記通常モードに復帰した後に、原稿サイズが未確定である旨を表すメッセージと、プラテンカバーの開閉を促すメッセージを表示する第２表示手段を更に備えることを特徴とする（３）又は（４）に記載の画像読取装置。
【００２５】
（５）の画像読取装置は、原稿サイズが未確定であることをユーザに知らせ、プラテンカバーを開閉して、原稿のサイズを再度検知させることをユーザに促すことができる。
【００２６】
（６）原稿送り装置優先モードが指定されており、原稿送り装置と前記原稿台の両方に原稿が搭載されている場合は、前記通常モードから前記省エネモードに復帰した後、前記原稿送り装置に搭載されている原稿のサイズ情報を前記表示画面に表示する第３表示手段を更に備えることを特徴とする（１）乃至（５）のいずれか一つに記載の画像読取装置。
【００２７】
（６）の画像読取装置は、原稿送り装置優先モード、原稿台優先モ−ドの各モードに応じた原稿サイズの表示を行うことができる。
【発明の効果】
【００２８】
本発明によれば、使い勝手の良い画像読取装置を提供することができる。
【図面の簡単な説明】
【００２９】
【図１】従来の複合機の画像読取装置の問題点１を説明する図である。
【図２】従来の複合機の画像読取装置の問題点１を説明する図である。
【図３】従来の複合機の画像読取装置の問題点２を説明する図である。
【図４】本発明が実施される複合機の概要を示す図である。
【図５】本発明が実施される複合機の画像読取に関わる画像読取装置の構成を示すブロック図である。
【図６】本発明が実施される複合機の画像読取装置の原稿自動読み取り装置と原稿台を示す図である。
【図７】本発明が実施される複合機の画像読取装置の操作パネル例を示す図である。
【図８】本発明が実施される複合機の画像読取装置の原稿セットを示す図である。
【図９】本発明が実施される複合機の画像読取装置のセンサ構成例を示す図である。
【図１０】本発明の画像読取装置の制御部のモジュール構成を示す図である。
【図１１】本発明の第１の実施形態に係る画像読取装置の動作Ａを説明する図である。
【図１２】本発明の第１の実施形態に係る画像読取装置の動作Ｂを説明する図である。
【図１３】本発明の第１の実施形態に係る画像読取装置の動作Ｃを説明する図である。
【図１４】本発明の第１の実施形態に係る画像読取装置のフローチャートである。
【図１５】本発明の第２の実施形態に係る画像読取装置のフローチャートである。
【図１６】本発明の第３の実施形態に係る画像読取装置の動作を説明する図である。
【図１７】本発明の第３の実施形態に係る画像読取装置のフローチャートである。
【発明を実施するための形態】
【００３０】
以下、本発明の実施形態について図を参照しながら説明する。
図４に、本発明が実施される複合機８００の概要を示す。
複合機８００は、外部から伝達された画像データに応じて、所定のシート（記録用紙）に対して多色及び単色の画像を形成するもので、装置本体８１０と、原稿自動送り装置８２０とを含む。装置本体８１０は、露光ユニット１、現像器２、感光体ドラム３、クリーナユニット４、帯電器５、中間転写ベルトユニット６、定着ユニット７、給紙カセット８１、排紙トレイ９１等を含む。
【００３１】
装置本体８１０の上部には、原稿が載置される透明ガラスからなる原稿台９２が設けられ、原稿台９２の上側には原稿自動送り装置８２０が取り付けられている。原稿自動送り装置８２０は、原稿台９２の上に自動で原稿を搬送する。また原稿自動送り装置８２０は矢印Ｍ方向に回動自在に構成され、原稿台９２の上を開放することにより原稿を手置きで置くことができるようになっている。
【００３２】
本複合機において扱われる画像データは、ブラック（Ｋ）、シアン（Ｃ）、マゼンタ（Ｍ）、イエロー（Ｙ）の各色を用いたカラー画像に応じたものである。したがって、現像器２、感光体ドラム３、帯電器５、クリーナユニット４は、各色に応じた４種類の潜像を形成するようにそれぞれ４個ずつ設けられ、それぞれブラック、シアン、マゼンタ、イエローに設定され、これらによって４つの画像ステーションが構成されている。
【００３３】
帯電器５は、感光体ドラム３の表面を所定の電位に均一に帯電させるための帯電手段であり、図４に示すようなチャージャ型の他、接触型のローラ型やブラシ型の帯電器が用いられることもある。
【００３４】
露光ユニット１は、本発明に関わる画像書込み装置に該当するものであり、レーザ出射部及び反射ミラー等を備えたレーザスキャニングユニット（ＬＳＵ）として構成される。露光ユニット１は、レーザビームを走査するポリゴンミラーと、ポリゴンミラーによって反射されたレーザ光を感光体ドラム３に導くためのレンズやミラー等の光学要素が配置されている。露光ユニット１を構成する光走査装置の構成は、後述して具体的に説明する。また露光ユニット１としては、この他発光素子をアレイ状に並べた例えばＥＬやＬＥＤ書込みヘッドを用いる手法も採用できる。
【００３５】
露光ユニット１は、帯電された感光体ドラム３を入力された画像データに応じて露光することにより、その表面に、画像データに応じた静電潜像を形成する機能を有する。現像器２はそれぞれの感光体ドラム３上に形成された静電潜像を４色（ＹＭＣＫ）のトナーにより顕像化するものである。またクリーナユニット４は、現像・画像転写後における感光体ドラム３上の表面に残留したトナーを、除去・回収する。
【００３６】
感光体ドラム３の上方に配置されている中間転写ベルトユニット６は、中間転写ベルト６１、中間転写ベルト駆動ローラ６２、中間転写ベルト従動ローラ６３、中間転写ローラ６４、及び中間転写ベルトクリーニングユニット６５を備えている。上記中間転写ローラ６４は、ＹＭＣＫ用の各色に対応して４本設けられている。
【００３７】
中間転写ベルト駆動ローラ６２、中間転写ベルト従動ローラ６３、及び中間転写ローラ６４は、中間転写ベルト６１を張架して回転駆動させる。また各中間転写ローラ６４は、感光体ドラム３のトナー像を、中間転写ベルト６１上に転写するための転写バイアスを与える。
【００３８】
中間転写ベルト６１は、各感光体ドラム３に接触するように設けられている、そして、感光体ドラム３に形成された各色のトナー像を中間転写ベルト６１に順次的に重ねて転写することによって、中間転写ベルト６１上にカラーのトナー像（多色トナー像）を形成する機能を有している。中間転写ベルト６１は、例えば厚さ１００μｍ〜１５０μｍ程度のフィルムを用いて無端状に形成されている。
【００３９】
感光体ドラム３から中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。中間転写ローラ６４は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト６１に対して均一に高電圧を印加することができる。本実施形態では転写電極としてローラ形状を使用しているが、それ以外にブラシ等も用いることが可能である。
【００４０】
上述の様に各感光体ドラム３上で各色相に応じて顕像化された静電像は中間転写ベルト６１で積層される。このように、積層された画像情報は中間転写ベルト６１の回転によって、後述の用紙と中間転写ベルト６１の接触位置に配置される転写ローラ１０によって用紙上に転写される。
【００４１】
この時、中間転写ベルト６１と転写ローラ１０は所定ニップで圧接されると共に、転写ローラ１０にはトナーを用紙に転写させるための電圧が印加される（トナーの帯電極性（−）とは逆極性（＋）の高電圧）。更に、転写ローラ１０は上記ニップを定常的に得るために、転写ローラ１０もしくは前記中間転写ベルト駆動ローラ６２の何れか一方を硬質材料（金属等）とし、他方を弾性ローラ等の軟質材料（弾性ゴムローラ、又は発泡性樹脂ローラ等々）が用いられる。
【００４２】
また、上記のように、感光体ドラム３に接触することにより中間転写ベルト６１に付着したトナー、もしくは転写ローラ１０によって用紙上に転写が行われず中間転写ベルト６１上に残存したトナーは、次工程でトナーの混色を発生させる原因となるために、中間転写ベルトクリーニングユニット６５によって除去・回収されるように設定されている。中間転写ベルトクリーニングユニット６５には、中間転写ベルト６１に接触する例えばクリーニング部材としてクリーニングブレードが備えられており、クリーニングブレードが接触する中間転写ベルト６１は、裏側から中間転写ベルト従動ローラ６３で支持されている。
【００４３】
給紙カセット８１は、画像形成に使用するシート（記録用紙）を蓄積しておくためのトレイであり、装置本体８１０の露光ユニット１の下側に設けられている。また手差し給紙カセット８２にも画像形成に使用するシートを置くことができる。また、装置本体８１０の上方に設けられている排紙トレイ９１は、印刷済みのシートをフェイスダウンで集積するためのトレイである。
【００４４】
また装置本体８１０には、給紙カセット８１及び手差し給紙カセット８２のシートを転写ローラ１０や定着ユニット７を経由させて排紙トレイ９１に送るための、略垂直形状の用紙搬送路Ｓが設けられている。給紙カセット８１乃至手差し給紙カセット８２から排紙トレイ９１までの用紙搬送路Ｓの近傍には、ピックアップローラ１１ａ，１１ｂ、複数の搬送ローラ１２ａ〜１２ｄ，レジストローラ１３、転写ローラ１０、定着ユニット７等が配されている。
【００４５】
搬送ローラ１２ａ〜１２ｄは、シートの搬送を促進・補助するための小型のローラであり、用紙搬送路Ｓに沿って複数設けられている。またピックアップローラ１１ａは、給紙カセット８１の端部近傍に備えられ、給紙カセット８１からシートを１枚ずつピックアップして用紙搬送路Ｓに供給する。同様にまたピックアップローラ１１ｂは、手差し給紙カセット８２の端部近傍に備えられ、手差し給紙カセット８２からシートを１枚ずつピックアップして用紙搬送路Ｓに供給する。
【００４６】
また、レジストローラ１３は、用紙搬送路Ｓを搬送されているシートを一旦保持するものである。そして、感光体ドラム３上のトナー像の先端とシートの先端を合わせるタイミングでシートを転写ローラ１０に搬送する機能を有している。
【００４７】
定着ユニット７は、ヒートローラ７１及び加圧ローラ７２を備えており、ヒートローラ７１及び加圧ローラ７２は、シートを挟んで回転するようになっている。またヒートローラ７１は、図示しない温度検出器からの信号に基づいて制御部によって所定の定着温度となるように設定されており、加圧ローラ７２と共にトナーをシートに熱圧着することにより、シートに転写された多色トナー像を溶融・混合・圧接し、シートに対して熱定着させる機能を有している。またヒートローラ７１を外部から加熱するための外部加熱ベルト７３が設けられている。
【００４８】
次にシート搬送経路を詳細に説明する。上述のように、複合機には予めシートを収納する給紙カセット８１、及び手差し給紙カセット８２が設けられている。これら給紙カセット８１，８２からシートを給紙するために、各々ピックアップローラ１１ａ，１１ｂが配置され、シートを１枚ずつ用紙搬送路Ｓに導くようになっている。
【００４９】
各給紙カセット８１，８２から搬送されるシートは用紙搬送路Ｓの搬送ローラ１２ａによってレジストローラ１３まで搬送され、シートの先端と中間転写ベルト６１上の画像情報の先端を整合するタイミングで転写ローラ１０に搬送され、シート上に画像情報が書き込まれる。その後、シートは定着ユニット７を通過することによってシート上の未定着トナーが熱で溶融・固着され、その後に配された搬送ローラ１２ｂを経て排紙トレイ９１上に排出される。
【００５０】
上記の搬送経路は、シートに対する片面印字要求の時のものであるが、これに対して両面印字要求の時は、上記のように片面印字が終了し定着ユニット７を通過したシートの後端が最終の搬送ローラ１２ｂで把持された時に、搬送ローラ１２ｂが逆回転することによってシートを搬送ローラ１２ｃ，１２ｄに導く。そしてその後レジストローラ１３を経てシート裏面に印字が行われた後にシートが排紙トレイ９１に排出される。
【００５１】
図５は、複合機８００の画像読取に関わる画像読取装置２００の構成を示すブロック図である。
操作パネル部２１１は、液晶表示画面を有するタッチパネルを備え、ユーザが操作して、画像処理を行う際の各種のパラメータを設定したり、画像読取装置２００に対する命令を入力したりする。
【００５２】
制御部２１２は、ＣＰＵ２１２１、ＲＯＭ２１２２、ＲＡＭ２１２３、Ｉ／Ｏ２１２４を含み、ＲＯＭ２１２２に記憶されたプログラムに従って、ＣＰＵ２１２１が画像読取装置全体の処理を制御する。
スキャナ部２１３は、ＣＣＤ素子２１３１を含み、原稿を読み取って、光学情報を電気信号に変換する。
画像処理部２１４は、スキャナ部２１３で読み取った画像に対して、拡大・縮小等の各種画像処理を行う。
【００５３】
画像記憶部２１５は、スキャナ部２１３で読み取った画像データ又は画像処理部２１４で処理した画像データを記憶する。
光学センサ部２１６は、原稿のサイズを検知する原稿サイズ検知センサとプラテンカバーの開閉を検知するプラテンカバー開閉センサとを含む。
プラテン原稿操作部駆動モータ２１７は、原稿台９２に載置された原稿を光学的に走査するための駆動モータである。ドライバ２１７１は、制御部２１２が、プラテン原稿操作部駆動モータ２１７をドライブするためのドライバである。
【００５４】
原稿搬送ローラ駆動モータ２１８は、原稿セット台にセットされた原稿を搬送するローラを回転させるモータである。ドライバ２１８１は、制御部２１２が、原稿搬送ローラ駆動モータ２１８をドライブするためのドライバである。
制御部２１２は、インターフェース部２１９と通信ラインで接続されている。
制御部２１２、画像処理部２１４、画像記憶部２１５、及びインターフェース部２１９は、画像データバスで相互に接続されている。
インターフェース部２１９は、外部機器（コンピュータ・プリンタ）２２０と接続されている。
【００５５】
図６は、画像読取装置２００の原稿自動送り装置８２０と原稿台９２の構成を示す図である。
原稿給紙ローラ３０１が回転して、原稿を自動的に搬送する。
原稿給紙部カバー３０２は、通常は閉じていて、原稿の紙詰まりの処置や、原稿給紙ローラ３０１を清掃する時に開く。
【００５６】
原稿ガイド３０３は、原稿を正しく読み取るためのガイドであり、奥行き方向に可動になっており、セットした原稿のサイズの幅に合わせるようになっている。
原稿セット台３０４は、複数枚の原稿をセットする台である。
原稿出紙部３０５に、読み取りを終了した原稿が出てくる。
【００５７】
原稿読み取り部３０６は、原稿セット台３０４にセットした原稿を読み取る部分である。
原稿サイズ検知板３０７は、原稿台（ガラス面）９２にセットした原稿のサイズを検知する装置である。
原稿台（ガラス面）９２は、厚手の原稿やブック物等の原稿であって、原稿自動送り装置を使うことができない原稿をセットする時に使う。
【００５８】
図７は、画像読取装置２００の操作パネル例を示す図である。
タッチパネル４０１は、例えば、液晶表示画面とタッチセンサを備え、液晶表示画面はメッセージやキー等を表示し、タッチセンサは表示されているキー等に対する利用者の指によるタッチを検出する。
クリアキー４０２は、部数等設定した数値を「０」に戻すために使用される。
【００５９】
リセットキー４０３は、操作途中の各種設定の解除や操作を初期状態から始めるために使用される。
ストップキー４０４は、コピーを中止する時や、原稿の読み込みを中止するために使用される。
カラースタートキー４０５は、カラーコピーする時や、原稿をカラーで読み込むために使用される。
【００６０】
白黒スタートキー４０６は、原稿を白黒で読み込むために使用される。
節電キー４０７は、画像読取装置２００を省エネモードに移行するために使用される。節電キー４０７がＯＮにされ、又は一定時間何れのキーに対しても操作がないことにより省エネモードに移行する。節電キー４０７がＯＦＦにされること、又は何れかのキーに対する操作等の各種通常復帰トリガにより省エネモードから復帰する。
電源キー４０８は、画像読取装置２００の電源を入れる、又は切るために使用される。
【００６１】
図８は、原稿をセットした時に、タッチパネル４０１に表示されるキーについて説明する図である。
原稿キー５０１には、原稿をセットした時に自動検知された原稿サイズが表示される。原稿台（ガラス面）９２と原稿送り装置（原稿セット台３０４）の両方に原稿が搭載されている場合は、原稿送り装置側が優先して表示される。利用者は、原稿サイズを手動で入力するためには、原稿キー５０１にタッチする。原稿サイズが手動で入力されている場合には、設定されたサイズが表示される。
【００６２】
用紙キー５０２には、用紙をセットすると、自動検知された用紙サイズが表示される。利用者は、使用する用紙（トレイ）を変更する時に用紙キー５０２にタッチする。タッチするとトレイ、用紙サイズ、用紙種類（タイプ）が並んで表示される。
原稿送り表示５０３は、原稿自動送り装置に原稿がセットされた時に表示される。
【００６３】
図９は、画像読取装置２００に設けられている光学センサ部２１６について説明する図である。
原稿サイズ検知板（発光）６０１は、複数の検知用発光部を含む。原稿台（ガラス面）９２にセットされた原稿のサイズを検知するために複数の検知用発光部は発光のために駆動される。
【００６４】
原稿サイズ検知基板（受光）６０２は、複数の検知用発光部にそれぞれ対応する複数の検知用受光部を含む。複数の検知用発光部は、後述するように上昇した状態においては、原稿セット台３０４の一辺側の辺縁部の上方にその一辺に沿うように並び、複数の検知用受光部は、原稿セット台３０４の対向辺側の辺縁部の下方にその対向辺に沿うように並ぶ。各検知用発光部から出射した光は、原稿により遮られなければ、対応する検知用受光部に到達するが、原稿により遮られれば、対向する検知用受光部に到達しない。したがって、受光した検知用受光部の組み合わせにより原稿の有無及び、原稿がある場合には、原稿のサイズを検出することができる。
【００６５】
プラテンカバー開閉センサ６０３は、プラテンカバーの開閉を検知するセンサである。その検知信号を、原稿サイズ検知のトリガ用信号として使用している。プラテンカバー開閉センサ６０３がＯＰＥＮ状態の時に、原稿サイズ検知板（発光）６０１がこれに連動して上昇すると共に、これに備わる複数の検知用発光部が発光する。上昇した位置にあり且つ発光状態の原稿サイズ検知板（発光）６０１と原稿サイズ検知基板６０２により原稿サイズを検知する。そして、プラテンカバー開閉センサ６０３がＯＰＥＮからＣＬＯＳＥに変われば、その時点の近辺において原稿サイズ検知動作を停止し、原稿サイズ情報を保持する。複数の検知用発光部は消灯する。
【００６６】
したがって、利用者が、プラテンカバーを開けてから、原稿台９２に原稿を載置し、その後、プラテンカバーを閉じる操作をするだけで、原稿サイズを検知することが可能となる。
その後、プラテンカバー開閉センサ６０３がＣＬＯＳＥからＯＰＥＮに変われば、原稿サイズ検知動作の再開が可能となる。
【００６７】
図１０は、本実施形態の画像読取装置の制御部２１２のモジュール構成を示すブロック図である。
第１維持部１２１は、原稿台に原稿が載置された状態で通常モードから省エネモードに移行した場合に、移行時に保持している原稿サイズ情報を省エネモードの少なくとも初期において維持する。
【００６８】
第２維持部１２２は、原稿台に原稿が載置された状態で通常モードから省エネモードに移行した場合に、前記省エネモードに移行している期間にプラテンカバーの開閉がなければ、前記省エネモード及び復帰後の通常モードの少なくとも初期において原稿サイズ情報を維持する。
【００６９】
第１復帰部１２３は、原稿台に原稿が載置された状態で通常モードから省エネモードに移行した場合に、プラテンカバーの開閉以外の事象により前記省エネモードから前記通常モードに復帰する。
【００７０】
第２復帰部１２４は、原稿台に原稿が載置されていない状態で通常モードから省エネモードに移行した場合に、プラテンカバーの開閉により前記省エネモードから前記通常モードに復帰する。
【００７１】
クリア部１２５は、原稿台に原稿が載置された状態で通常モードから省エネモードに移行した場合に、前記省エネモードに移行している期間にプラテンカバーの開閉があれば、該開閉を通常復帰トリガとせず、前記プラテンカバーの開閉以外の事象により通常モードに復帰する直後までに原稿サイズ情報をクリアする。
【００７２】
第１表示部１２６は、原稿台に原稿が載置された状態で通常モードから省エネモードに移行した場合に、前記省エネモードに移行している期間にプラテンカバーの開閉があれば、前記プラテンカバーの開閉以外の事象により通常モードに復帰したならば、原稿サイズが未確定である旨を表すメッセージと、前記プラテンカバーの開閉を促すメッセージを画面に表示する。
【００７３】
第２表示部１２７は、原稿台に原稿が載置されていない状態で通常モードから省エネモードに移行した場合に、前記省エネモードから前記通常モードに復帰した後に、原稿サイズが未確定である旨を表すメッセージと、プラテンカバーの開閉を促すメッセージを表示する。
【００７４】
第３表示部１２８は、原稿送り装置優先モードが指定されており、原稿送り装置と原稿台の両方に原稿が搭載されている場合は、通常モードから省エネモードに復帰した後、前記原稿送り装置に搭載されている原稿のサイズ情報を表示画面に表示する。
【００７５】
復帰回避部１２９は、原稿台に原稿が載置されていない状態で通常モードから省エネモードに移行した場合に、プラテンカバーの開閉により前記省エネモードから前記通常モードに復帰しない。
【００７６】
本発明の実施形態では、省エネ遷移トリガとしては、
（ａ）節電キーがＯＮされた。
（ｂ）一定時間、操作が行われなかった。
である。
【００７７】
通常復帰トリガとしては、
（ａ）節電キーがＯＦＦされた。
（ｂ）いずれかのキーが操作された。
（ｃ）プリント要求又はＦＡＸ受信があった。
（ｄ）人感センサが検知した。
等である。
なお、「プラテンカバーが開閉された。」は、従来、通常復帰トリガとされていたが、本発明の実施形態では、「プラテンカバーが開閉された。」は、原則、通常復帰トリガとしない。
【００７８】
ただし、原稿台（ガラス面）９２に原稿がない状態で、省エネモードに移行した場合は、第２復帰部１２４は、「プラテンカバーが開閉された。」ことに基づき、通常復帰させる。これは、「最初のユーザは、原稿が載置されていないことを知っているはずであるから、原稿を取り除くためにプラテンカバーが開けるはずがない。したがって、プラテンカバーを開けたユーザは、最初のユーザとは別のユーザである。」と推論できるからである。
【００７９】
また、原稿台（ガラス面）９２に原稿がある状態で、省エネモードに移行した場合に、プラテンカバーが開閉されると、クリア部１２５は、保持されていた原稿サイズ情報をクリアする。そして、その後、他作業にて通常復帰した場合は、第１表示部１２６は、操作パネル部２１１の液晶表示画面に「原稿サイズが検知されていないこと。」を表示し、「プラテンカバーを開閉すること。」を促すメッセージを表示する。
【００８０】
また、原稿台（ガラス面）９２に原稿がない状態で、省エネモードに移行し、その後に通常復帰した場合にも、第２表示部１２７は、操作パネル部２１１の液晶表示画面に「原稿サイズが検知されていないこと。」を表示し、「プラテンカバーを開閉すること。」を促すメッセージを表示する。
【００８１】
［第１の実施形態］
図１１は、本発明の第１の実施形態に係る画像読取装置の動作Ａを説明する図である。
図１１（ａ）において載置されている原稿から原稿サイズを認識し、図１１（ｂ）のようにプラテンカバーを閉めた後、省エネ遷移トリガが発生すると、図１１（ａ）において認識した原稿サイズ情報を保持した状態で図１１（ｃ）のように省エネモードに移行する。その後、プラテンカバーが閉められたままの状態において、通常復帰トリガが発生した時に、原稿サイズ情報をクリアせずに維持したまま通常復帰する。この場合、図１１（ｄ）のように保持されている原稿サイズ情報「Ａ４縦」は、実際に原稿台（ガラス面）９２に載置されている原稿のサイズに一致しており、直ちにコピーをすることができる。
【００８２】
図１２は、本発明の第１の実施形態に係る画像読取装置の動作Ｂを説明する図である。
図１１（ａ）において載置されている原稿から原稿サイズを認識し、図１１（ｂ）のようにプラテンカバーを閉めた後、省エネ遷移トリガが発生すると、図１１（ａ）において認識した原稿サイズ情報を保持した状態で図１１（ｃ）のように省エネモードに移行する。説明のために図１２（ａ）を示すが、これは、図１１（ｃ）と同一である。図１２（ａ）では、省エネモードの状態である。その後、通常復帰トリガが発生しないままの状態において、図１２（ｂ）に示すようにプラテンカバーが開けられると、原稿が取り換えられた可能性があるので、保持している原稿サイズ情報をクリアするが、通常復帰トリガが発生していない状況であるため、通常復帰はしない（図１２（ｃ）の状態）。その後、他作業により通常復帰トリガが発生すると、通常復帰するが、原稿サイズ情報がクリアされているので、図１２（ｄ）のように、液晶表示画面に「原稿サイズが検知されていないこと。」を表示し、「プラテンカバーを開閉すること。」を促すメッセージを表示する。なお、プラテンカバーが開けられた直後に原稿サイズ情報をクリアする代わりに、通常復帰トリガが発生して、通常復帰する時に原稿サイズ情報をクリアしてもよい。
【００８３】
原稿セット台３０４に載置された原稿から原稿サイズを認識し、その後、プラテンカバーが閉められてから発生する省エネ遷移トリガにより省エネモードに移行するような動作Ａ、動作Ｂとは異なり、原稿が載置されていない状態で省エネモードに入り、その後プラテンカバーが開けられた場合は、最初のユーザは、原稿が載置されていないことを知っているはずであるから、原稿を取り除くためにプラテンカバーが開けるはずがない。したがって、プラテンカバーを開けたユーザは、最初のユーザとは別のユーザであるという推測ができる。したがって、この場合には、プラテンカバーが開けられたことを、通常復帰トリガとして、通常復帰することが適切であるといえる。
【００８４】
図１３は、本発明の第１の実施形態に係る画像読取装置の動作Ｃを説明する図である。
図１３（ａ）は、原稿が載置されていない状態で省エネモードに入ったことを前提としている。その後、図１３（ｂ）においてプラテンカバーが開けられると、この原稿が載置されていない状態で省エネモードに入った場合に限っては、プラテンカバーが開けられたことを通常復帰トリガとして、図１３（ｃ）のように通常復帰する。その通常復帰した時、図１３（ｄ）のように、液晶表示画面に「原稿サイズが検知されていないこと。」を表示し、「プラテンカバーを開閉すること。」を促すメッセージを表示する。
【００８５】
図１４は、本発明の第１の実施形態に係る画像読取装置のフローチャ−トである。
【００８６】
ステップＳ１０１において、省エネ遷移トリガが発生したか判定する。この判定がＹＥＳの場合、処理はステップＳ１０２へ移り、判定がＮＯの場合、処理はステップＳ１０１へ移る。
【００８７】
ステップＳ１０２において、省エネモードへ移行させ、第１維持部１２１は、原稿サイズ検知基板（受光）６２で検知した原稿サイズ情報を保持する。
【００８８】
ステップＳ１０３において、原稿サイズ情報を保持しているか判定する。この判定がＹＥＳの場合、処理はステップＳ１０４へ移り、判定がＮＯの場合、処理はステップＳ１０７へ移る。
【００８９】
ステップＳ１０４において、プラテンカバーの開閉状態に変化があったか判定する。この判定がＹＥＳの場合、処理はステップＳ１０５へ移り、判定がＮＯの場合、処理はステップＳ１０６へ移る。
【００９０】
ステップＳ１０５において、クリア部１２５は、保持していた原稿サイズ情報をクリアする。
【００９１】
ステップＳ１０６において、通常復帰トリガが発生したか判定する。この判定がＹＥＳの場合、処理はステップＳ１０８へ移り、判定がＮＯの場合、処理はステップＳ１０４へ移る。
【００９２】
ステップＳ１０７において、プラテンカバーの開閉状態に変化があったか、又は通常復帰トリガが発生したか判定する。この判定がＹＥＳの場合、処理はステップＳ１０８へ移り、判定がＮＯの場合、処理はステップＳ１０７へ移る。
【００９３】
ステップＳ１０８において、第１復帰部１２３又は第２復帰部１２４は、通常復帰させる。
Ｓ１０４でＮＯと判定され、ステップＳ１０５を経由しなかった場合は、通常復帰後、第２維持部１２２により原稿サイズ情報が維持される。
【００９４】
ステップＳ１０９において、原稿サイズ情報を保持しているか判定する。この判定がＹＥＳの場合、処理はステップＳ１１１へ移り、判定がＮＯの場合、処理はステップＳ１１０へ移る。
【００９５】
ステップＳ１１０において、第１表示部１２６又は第２表示部１２７は、操作パネル部１１の液晶表示画面に「原稿サイズが検知されていないこと。」を表示し、「プラテンカバーを開閉すること。」を促すメッセージを表示する。
【００９６】
ステップＳ１１１において、通常モードへ移行する。
【００９７】
［第２の実施形態］
第１の実施形態では、ステップＳ１０７において、プラテンカバーの開閉状態に変化があったか、又は通常復帰トリガが発生した場合、通常復帰させていた。
【００９８】
しかし、最初のユーザが「原稿台に原稿を置き忘れたか、取り去ったか」の記憶が曖昧になり、実際には、原稿台の原稿を取り去ったにも関わらず、確認のためにプラテンカバーの開閉することもあり得る。この場合に、通常復帰させることは、不要な通常復帰となる。したがって、第１の実施形態において、ステップＳ１０７において、プラテンカバーの開閉状態に変化があった場合には、通常復帰させないという選択肢もあり得る。
【００９９】
図１５は、本発明の第２の実施形態に係る画像読取装置のフローチャートである。
図１５は、ステップ２０７において、プラテンカバーの開閉状態に変化があった場合には、判断結果をＮＯとして、処理がステップＳ２０７へ戻るようにした点のみが、図１４と異なる。
【０１００】
ステップＳ２０７において、通常復帰トリガが発生したか判定する。この判定がＹＥＳの場合、処理はステップＳ２０８へ移り、判定がＮＯの場合、復帰回避部１２９により、処理はステップＳ２０７へ移る。
このように構成することにより、第２の実施形態では、最初のユーザが「原稿台に原稿を置き忘れたか、取り去ったか」の記憶が曖昧になって、確認のためにプラテンカバーの開閉した際に、不要な通常復帰をさせないという効果を奏する。
【０１０１】
［第３の実施形態］
図１６は、本発明の第３の実施形態に係る画像読取装置の動作を説明する図である。
図１６は、原稿送り装置に原稿がセットされている場合についての説明図である。
この場合、「原稿送り装置優先モード」と「原稿台優先モード」のいずれかのモードが設定されている。
【０１０２】
原稿送り装置と原稿台の両方に原稿がセットされている場合、原稿送り装置優先モードでは、原稿送り装置の原稿が優先して処理される。
【０１０３】
原稿送り装置と原稿台の両方に原稿がセットされている場合、原稿台優先モードでは、原稿台の原稿が優先して処理される。
【０１０４】
原稿送り装置優先モードであれば、図１１〜１３の処理を行わず、原稿送り装置にセットされている原稿の原稿サイズが表示され、原稿送り装置からの読み込みが実行される。
原稿台優先モードであれば、図１１〜１３の処理を行う。
【０１０５】
図１７は、本発明の第３の実施形態に係る画像読取装置のフローチャートである。
第３の実施形態は、通常復帰後に原稿自動送り装置に原稿が搭載されている場合も含んだ処理フローとなっている。
第３の実施形態のステップＳ３０１〜Ｓ３０８は、第１の実施形態のステップＳ１０１１〜Ｓ１０８と同じであるので、ステップＳ３０１〜Ｓ３０８の説明は、省略する。
【０１０６】
ステップＳ３０９において、原稿自動送り装置８２０に原稿が搭載されているか判定する。この判定がＹＥＳの場合、処理はステップＳ３１０へ移り、判定がＮＯの場合、処理はステップＳ３１１へ移る。
【０１０７】
ステップＳ３１０において、原稿台優先モードか判定する。この判定がＹＥＳの場合、処理はステップＳ３１１へ移り、判定がＮＯの場合、処理はステップＳ３１３へ移る
【０１０８】
ステップＳ３１１において、原稿サイズ情報を保持しているか判定する。この判定がＹＥＳの場合、処理はステップＳ３１４へ移り、判定がＮＯの場合、処理はステップＳ３１２へ移る。
【０１０９】
ステップ３１２において、第１表示部１２６又は第２表示部１２７は、操作パネル部１１の液晶表示画面に「原稿サイズが検知されていないこと。」を表示し、「プラテンカバーを開閉すること。」を促すメッセージを表示する。
【０１１０】
ステップＳ３１３において、第３表示部１２８は、原稿自動送り装置８２０に搭載されている原稿のサイズを表示する。
【０１１１】
ステップＳ３１４において、通常モードへ移行する。
第３の実施形態によれば、原稿自動送り装置に原稿が搭載されている場合にも、原稿送り装置が優先か、原稿台が優先かというモードに従った処理を行うことが可能となる。
第３の実施形態は、第１の実施形態を変形させたものであるが、第２の実施形態を同様に変形させることもできる。
【０１１２】
なお、上記の画像読取装置は、ハードウェア、ソフトウェア又はこれらの組み合わせにより実現することができる。また、上記の画像読取装置により行なわれる画像読取方法も、ハードウェア、ソフトウェア又はこれらに組み合わせにより実現することができる。ここで、ソフトウェアによって実現されるとは、コンピュータがプログラムを読み込んで実行することにより実現されることを意味する。
【０１１３】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【産業上の利用可能性】
【０１１４】
本発明は、使い勝手の良い画像読取装置のために利用することができる。
【符号の説明】
【０１１５】
９２  原稿台（ガラス面）
１２１  第１維持部
１２２  第２維持部
１２３  第１復帰部
１２４  第２復帰部
１２５  クリア部
１２６  第１表示部
１２７  第２表示部
１２８  第３表示部
１２９  復帰回避部
２００  画像読取装置
２１１  操作パネル部
２１２  制御部
２１３  スキャナ部
２１４  画像処理部
２１５  画像記憶部
２１６  光学センサ部
２１７  プラテン原稿走査部駆動モータ
２１８  原稿搬送ローラ駆動モータ
２１９  インターフェース部
２２０  外部機器
３０１  原稿給紙ローラ
３０２  原稿給紙部カバー
３０３  原稿ガイド
３０４  原稿セット台
３０５  原稿出紙部 
３０６  原稿読み取り部
３０７  原稿サイズ検知板
４０１  タッチパネル
４０２  クリアキー
４０３  リセットキー
４０４  ストップキー
４０５  カラースタートキー
４０６  白黒スタートキー
４０７  節電キー
４０８  電源キー
５０１  原稿キー
５０２  用紙キー
５０３  原稿送り表示
６０１  原稿サイズ検知板（発光）
６０２  原稿サイズ検知基板（受光）
６０３  プラテンカバー開閉センサ
８００  複合機
８２０  原稿自動送り装置
【図１】
2018037999.tif 000003
【図２】
2018037999.tif 000004
【図３】
2018037999.tif 000005
【図４】
2018037999.tif 000006
【図５】
2018037999.tif 000007
【図６】
2018037999.tif 000008
【図７】
2018037999.tif 000009
【図８】
2018037999.tif 000010
【図９】
2018037999.tif 000011
【図１０】
2018037999.tif 000012
【図１１】
2018037999.tif 000013
【図１２】
2018037999.tif 000014
【図１３】
2018037999.tif 000015
【図１４】
2018037999.tif 000016
【図１５】
2018037999.tif 000017
【図１６】
2018037999.tif 000018
【図１７】
2018037999.tif 000019